(57)【要約】【課題】本発明は、屋根からの雨水が鼻隠し板に回り込むの阻止するための水切板及び軒樋本体を支承する取付け具を装着でき、かつ、落ち葉等のゴミが軒樋本体に落ち込まないような機能を有する鼻板カバーを提供することを課題とする。【解決手段】本発明の鼻板カバーは、鼻隠し板１を覆う鼻板カバー本体２の基板２１の前面長手方向に、軒樋本体３を支承する取付け具４を摺動自在に装着するためのレ−ル２２と、軒樋本体３の上側開口部に臨むための張り出し棚２３とを形成するとともに、該張り出し棚２３に複数の孔２３１を設けたことを特徴とする。【選択図】　図１
2004068301.tif 000002
【特許請求の範囲】
【請求項１】
鼻隠し板を覆う鼻板カバー本体の基板の前面長手方向に、軒樋本体を支承する取付け具を摺動自在に装着するためのレ−ルと、軒樋本体の上側開口部に臨むための張り出し棚とを形成するとともに、該張り出し棚に複数の孔を設けたことを特徴とする鼻板カバー。
【請求項２】
上記張り出し棚を鼻板カバー本体の基板側から下方に向かう下り傾斜面で形成した請求項１記載の鼻板カバー。
【請求項３】
上記張り出し棚を軒樋本体の上側開口部の幅方向の略全域を覆うよう張り出すとともに、該張り出し棚を鼻板カバー本体の基板側から下方に向かう下り傾斜面と該下り傾斜面から延設した上り傾斜面とで形成した請求項１記載の鼻板カバー。
【請求項４】
上記鼻板カバー本体の基板の上端部に、野地板の先端部に設けられる水切板の下端部を係止する係止部を形成した請求項１記載の鼻板カバー。
【請求項５】
上記鼻板カバー本体の基板の下端部に、該基板と軒樋本体の家屋側立壁との間の隙間を隠す突出部を形成した請求項１記載の鼻板カバー。
【発明の詳細な説明】
【０００１】
【発明の属する技術分野】
本発明は、軒先の鼻隠し板を覆う鼻板カバーに係り、特に、該鼻板カバー本体の長手方向の任意の位置に、軒樋本体を支承する取付け具を装着できるようにするとともに、該鼻板カバー本体に、落ち葉等のゴミが軒樋本体に落ち込まない機能を持たせた鼻板カバーに関するものである。
【０００２】
【従来の技術】
従来、屋根からの雨水が鼻隠し板に回り込むの阻止するための水切板を、鼻隠し板を覆う鼻板カバーに一体に形成し、軒樋本体を支承する軒樋吊り具を該鼻板カバーを介して鼻隠し板に固定する方法があった（特開平９−１５８４２９号公報）。しかしこの従来例の鼻板カバーは、落ち葉が軒樋本体に落ち込むのを防止する機能を具備していなかった。又、この従来例では鼻隠し板に鼻板カバーと軒樋吊り具とを同時に固定するものであったから、その施工が面倒であった。一方、落ち葉等が軒樋本体に落ち込まないようにするため、軒樋本体の上側開口部に多数の小孔を設けた金属若しくは合成樹脂製の板や筒を配置する方法も考えられていた。
【０００３】
【発明が解決しようとする課題】
本発明は、鼻板カバーを、軒樋本体の取付け具の取付けとは関係なく、独立して鼻隠し板に装着できるとともに、該鼻板カバーに屋根からの雨水が鼻隠し板に回り込むの阻止するための水切板及び軒樋本体を支承する取付け具を、該鼻板カバーに装着できるようにし、かつ、落ち葉等のゴミが軒樋本体に落ち込まないような機能を有する鼻板カバーを提供することを課題とする。
【０００４】
【課題を解決するための手段】
本発明は、上記課題を解決するために、次のような技術的手段を講じている。すなわち、請求項１記載の発明は、鼻隠し板を覆う鼻板カバー本体の基板の前面長手方向に、軒樋本体を支承する取付け具を摺動自在に装着するためのレ−ルと、軒樋本体の上側開口部に臨むための張り出し棚とを形成するとともに、該張り出し棚に複数の孔を設けたことを特徴とする鼻板カバーである。このような構成により、鼻板カバー本体の長手方向の任意の位置に軒樋本体を支承する取付け具を取付けることができ、鼻板カバー本体及び軒樋本体の取付施工を効率よく行うことができ、省施工を図ることができる。又、張り出し棚は複数の孔を介して雨水を軒樋本体に流し込むとともに、落ち葉等のゴミが軒樋本体に落ち込むのを制限するのである。
【０００５】
請求項２記載の発明は、上記張り出し棚を鼻板カバー本体の基板側から下方に向かう下り傾斜面で形成した請求項１記載の鼻板カバーである。このような構成により、該張り出し棚上の雨水が鼻隠し板側に逆流しにくく、従って、鼻隠し板が濡れたり汚れたり腐ったりしにくいのである。
【０００６】
請求項３記載の発明は、上記張り出し棚を軒樋本体の上側開口部の幅方向の略全域を覆うよう張り出すとともに、該張り出し棚を鼻板カバー本体の基板側から下方に向かう下り傾斜面と該下り傾斜面から延設した上り傾斜面とで形成した請求項１記載の鼻板カバーである。このような構成により、下り傾斜面と上り傾斜面とで形成される谷部に溜まった落ち葉等のゴミが軒樋本体に落ち込むのが一層よく制限されるとともに、濡れた落ち葉等が軒樋本体を乗り越えて地面にも落ちて来にくいので、地面の汚れも少なく、該張り出し棚上に溜まった落ち葉等は晴れた日に乾燥して風等で自然に除去されるのである。
【０００７】
更に、請求項４記載の発明は、上記鼻板カバー本体の基板の上端部に、野地板の先端部に設けられる水切板の下端部を係止する係止部を形成した請求項１記載の鼻板カバーである。このような構成により、屋根からの雨水が万一水切板を伝わって逆流した場合でも、該雨水が鼻隠し板側に回り込むのを該係止部が阻止するので、鼻隠し板の回りの防水が略完全なものとなる。
【０００８】
又、請求項５記載の発明は、上記鼻板カバー本体の基板の下端部に、該基板と軒樋本体の家屋側立壁との間の隙間を隠す突出部を形成した請求項１記載の鼻板カバーである。このような構成により、軒樋本体に対する下方からの美観が向上し、又、該隙間に蜘蛛の巣やゴミが溜まりにくいのである。
【０００９】
【発明の実施の形態】
以下、本発明の好ましい実施の形態について、図面を参照してより詳細に説明する。図１は本発明にかかる鼻板カバーを使用して軒樋本体を取付けたときの部分断面図、図２は上記実施例において使用された鼻板カバーの部分拡大斜視図、図３は上記実施例において使用された軒樋本体を支承するための取付け具の斜視図である。図において、１は鼻隠し板であり該鼻隠し板１は野地板５の先端部下部に設けられ、鼻隠し板１の下面には軒天井板７が張設されている。２は鼻隠し板１の前面を覆う鼻板カバー本体であり、該鼻板カバー本体２は鋼板もしくはアルミ押出部材或いは高強度樹脂の押出成型で構成される。該鼻板カバー本体２は垂直帯状板からなる基板２１の前面長手方向に、レ−ル２２が形成されている。レ−ル２２は前面開口部２２１と該前面開口部２２１に連通した相対向する溝２２２、２２２が形成されている。該溝２２２を構成するフランジに取付け孔２６が鼻板カバー本体２の長手方向に一定間隔をおいて複数個設けられており、該取付け孔２６を貫通したビス或いは釘等の固定手段（図示せず）で該鼻板カバー本体２を鼻隠し板１にその前面を覆って固定する。鼻板カバー本体２の基板２１の上端部に前方下向きに突出した係止部２４が形成されており、野地板５の先端部と瓦８とに挟持された水切板６の下端部６１が該係止部２４の下方から係止されている。該水切板６は鼻板カバー本体２の長手方向全域に装着されておりその横断面形状は図１に示す如く略コ字状をしている。係止部２４の下部には基板２１から前方に張り出した張り出し棚２３が形成され該張り出し棚２３は基板２１側から下方に向かう下り傾斜面２３２と該下り傾斜面２３２から延設した上り傾斜面２３３とで形成されその全面に複数の孔２３１が規則正しく設けられている。
【００１０】
軒樋本体３は横断面形状が略Ｕ字状をし、前側立壁３２と底壁３３と家屋側立壁３１とからなっている。軒樋本体３は取付け具４で支承され、取付け具４は鼻板カバー本体２のレ−ル２２の長手方向任意の位置に装着される。即ち、取付け具４の基部側に形成した上下突条４１、４１をレ−ル２２の上下に相対向する溝２２２、２２２に摺動自在に嵌合し、次に軒樋本体３の前側立壁３２の内面に取付け具４の前側立壁４２を内接させるとともに、該前側立壁４２の上縁部４２１を軒樋本体３の前側立壁３２の上端部に形成した係止溝３２１に嵌合し、更に、取付け具４の下面家屋側に形成した係止空間４３に軒樋本体３の家屋側立壁３１の上縁部に形成した耳部３１１を弾性的に強制嵌合するのである。軒樋本体３が取付け具４を介して鼻板カバー本体２に取付けられた状態では、図１に示す如く、張り出し棚２３が軒樋本体３の上側開口部の幅方向略全域に臨むことになる。又、鼻板カバー本体２の基板２１の下端部に形成した突出部２５が軒樋本体３の家屋側立壁３２との間の隙間を塞いでいる。更に該突出部２５の下端部を後方向きの水平方向に延設して該下端水平部２７で軒天井板７の先端縁を覆っている。
【００１１】
軒樋本体３が図１に示すように取付け具４で鼻板カバー本体２に装着された状態において、雨が降ったとき。瓦８からの雨水は張り出し棚２３に落ちた後、孔２３１を通過して軒樋本体３内に流れ込んでいく。このとき、張り出し棚２３に落下した雨水は張り出し棚２３の下り傾斜面２３２を上りにくく鼻隠し板１に浸入するのが阻止される。又、瓦８から雨水が水切板６の表面を伝ってその下端部６１に来たとき、鼻板カバー本体２の基板２１の上端部に形成した係止部２４によって該雨水が鼻隠し板１に浸入するのを阻止される。
【００１２】
【発明の効果】
以上述べたように、請求項１記載の発明は、鼻隠し板１を覆う鼻板カバー本体２の基板２１の前面長手方向に、軒樋本体３を支承する取付け具４を摺動自在に装着するためのレ−ル２２と、軒樋本体３の上側開口部に臨むための張り出し棚２３とを形成するとともに、該張り出し棚２３に複数の孔２３１を設けたことを特徴とする鼻板カバーであるから、鼻板カバー本体２の長手方向の任意の位置に軒樋本体３を支承する取付け具４を取付けることができ、鼻板カバー本体２及び軒樋本体３の取付施工を効率よく行うことができ省施工を図ることができる。又、張り出し棚２３は複数の孔２３１を介して雨水を軒樋本体２に流し込むとともに、落ち葉等のゴミが軒樋本体２に落ち込むのを制限するのである。
【００１３】
請求項２記載の発明は、請求項１記載の鼻板カバーにおいて、張り出し棚２３を鼻板カバー本体２の基板２１側から下方に向かう下り傾斜面２３２で形成したから、該張り出し棚２３上の雨水が鼻隠し板１側に逆流しにくく、従って、鼻隠し板１が濡れたり汚れたり腐ったりしにくいのである。
【００１４】
請求項３記載の発明は、請求項１記載の鼻板カバーにおいて、張り出し棚２３を軒樋本体３の上側開口部の幅方向の略全域を覆うよう張り出すとともに、該張り出し棚２３を鼻板カバー本体２の基板２１側から下方に向かう下り傾斜面２３２と該下り傾斜面２３２から延設した上り傾斜面２３３とで形成したから、下り傾斜面２３２と上り傾斜面２３３とで形成される谷部に溜まった落ち葉等のゴミが軒樋本体３に落ち込むのが一層よく制限されるとともに、濡れた落ち葉等が軒樋本体３を乗り越えて地面にも落ちて来にくいので、地面の汚れも少なく、該張り出し棚２３上に溜まった落ち葉等は、後日掃除されるか若しくは晴れた日に乾燥して風等で自然に除去されるのである。
【００１５】
請求項４記載の発明は、請求項１記載の鼻板カバーにおいて、鼻板カバー本体２の基板２１の上端部に、野地板５の先端部に設けられる水切板６の下端部６１を係止する係止部２４を形成したから、屋根からの雨水が万一水切板６を伝わって逆流した場合でも、該雨水が鼻隠し板１側に回り込むのを該係止部２４が阻止するので、鼻隠し板１の回りの防水が略完全なものとなる。
【００１６】
請求項５記載の発明は、請求項１記載の鼻板カバーにおいて、鼻板カバー本体２の基板２１の下端部に、該基板２１と軒樋本体３の家屋側立壁３１との間の隙間を隠す突出部２５を形成したから、鼻板カバー本体２と軒樋本体３とに対する下方からの美観が向上し、又、該隙間に蜘蛛の巣やゴミが溜まりにくいのである。
【図面の簡単な説明】
【図１】本発明にかかる鼻板カバーを使用して軒樋本体を取付けたときの部分断面図。
【図２】上記実施例において使用された鼻板カバーの部分拡大斜視図。
【図３】上記実施例において使用された軒樋本体を支承するための取付け具の斜視図。
【符号の説明】
１　　　鼻隠し板
２　　　鼻板カバー本体
２１　　鼻板カバー本体の基板
２２　　鼻板カバーに形成したレ−ル
２２１　レ−ルの前面開口部
２２２　レ−ルの溝
２３　　鼻板カバー本体２形成した張り出し棚
２３１　張り出し棚に形成した孔
２３２　張り出し棚の下り傾斜面
２３３　張り出し棚の上り傾斜面
２４　　鼻板カバー本体の基板に形成した係止部
２５　　鼻板カバー本体の基板に形成した突出部
２６　　鼻板カバー本体の取付け孔
２７　　鼻板カバー本体の下端水平部
３　　　軒樋本体
３１　　軒樋本体の家屋側立壁
３１１　軒樋本体の家屋側立壁の上縁部に形成した耳部
３２　　軒樋本体の前側立壁
３２１　軒樋本体の前側立壁の上端部に形成した係止溝
３３　　軒樋本体の底壁
４　　　取付け具
４１　　取付け具の上下突条
４２　　取付け具の前側立壁
４２１　取付け具の前側立壁の上縁部
４３　　取付け具の下面家屋側に形成した係止空間
５　　　野地板
６　　　水切板
６１　　水切板の下端部
７　　　軒天井板
８　　　瓦
【図１】
2004068301.tif 000003
【図２】
2004068301.tif 000004
【図３】
2004068301.tif 000005